(57)【要約】【課題】本発明の課題は、多面付けバリアブル印刷において、容易で簡単にトンボを設定できる技術を提供することである。【解決手段】割付ページに外トンボ領域と内トンボ領域とを割り付けるトンボ領域割付ステップと、トンボ領域を割り付けた割付ページを多面付けした文書データを作成する文書データ作成ステップと、外トンボ領域同士の重なりと、内トンボ領域同士の重なりを検知するトンボ領域重なり検知ステップと、前記検知されたトンボ領域を前記文書データから削除する重なりトンボ領域削除ステップと、前記検知されたトンボ領域が削除された文書データの外トンボ領域に外トンボを作成して、内トンボ領域に内トンボを作成するトンボ作成ステップと、を含んだ手順でなされることを特徴とするバリアブル印刷に用いる文書データにトンボを割り付ける多面付トンボ割付方法である。【選択図】図１
2008146160.tif 000002
【特許請求の範囲】
【請求項１】
バリアブル印刷に用いる文書データにトンボを割り付ける多面付トンボ割付方法であって、
割付ページに外トンボ領域と内トンボ領域とを割り付けるトンボ領域割付ステップと、
外トンボ領域と内トンボ領域とを割り付けた割付ページを多面付けした前記文書データを作成する文書データ作成ステップと、
外トンボ領域同士の重なりと、内トンボ領域同士の重なりを検知するトンボ領域重なり検知ステップと、
前記検知された重なった外トンボ領域あるいは内トンボ領域を前記文書データから削除する重なりトンボ領域削除ステップと、
前記検知されたトンボ領域が削除された文書データの外トンボ領域に外トンボを作成して、前記検知されたトンボ領域が削除された文書データの内トンボ領域に内トンボを作成するトンボ作成ステップと、
を含んだ手順でなされることを特徴とする多面付トンボ割付方法。
【請求項２】
前記内トンボ領域は、割付ページの外側に存在して、割付ページの１辺と、割付ページの仕上がり領域線の延長線上の線分で対向する２本の線分で囲まれた領域であって、
前記２本の線分の長さが、内トンボの長さであって、
前記外トンボ領域は、割付ページの仕上がり領域の頂点と、隣接する２個の内トンボ領域と接する線で囲まれた四辺形領域である、
ことを特徴とする請求項１に記載の多面付トンボ割付方法。
【発明の詳細な説明】
【技術分野】
【０００１】
本発明は、多面付けしたバリアブル印刷において、バリアブル印刷する文書を編集する技術に関するものである。
【０００２】
バリアブル印刷とは、書面の一部を差替えながら連続して印刷する方法である。バリアブル印刷によって、ダイレクトメールを印刷すると、たとえば、文面中の宛先名だけを変えて印刷することができる。
このバリアブル印刷では、１枚の用紙に多数のページを割付けて（＝多面付けして）、大量のページを短時間に印刷することを可能にする。
【背景技術】
【０００３】
たとえば、特許文献１では、多面付けのバリアブル印刷において、複数ページの面付け条件の設定を、面付け設定部６４０のキーボードもしくはマウスから入力して、印刷する技術が開示されている。
【特許文献１】特開２００６−１９００９８号公報（９〜１０ページ、図６〜８）
【発明の開示】
【発明が解決しようとする課題】
【０００４】
ところで、特許文献１に記載の技術では、多面付けした印刷物を正確に裁断するために、断裁目印（＝トンボ）の設定情報（たとえば、トンボの位置情報や寸法情報）を算出して、これを入力している。従って、トンボ設定情報の算出作業に手間を要するという問題点があった。このトンボの設定情報の入力作業では、誤りがないように、細心の注意を払って入力しなければならないという欠点があった。
【０００５】
本発明はこのような従来技術を考慮してなされたものであって、本発明の課題は、多面付けバリアブル印刷において、容易で簡単にトンボを設定できる技術を提供することである。
【課題を解決するための手段】
【０００６】
本発明は、以下のような解決手段により、前記課題を解決する。すなわち、請求項１の発明は、バリアブル印刷に用いる文書データにトンボを割り付ける多面付トンボ割付方法であって、割付ページに外トンボ領域と内トンボ領域とを割り付けるトンボ領域割付ステップと、外トンボ領域と内トンボ領域とを割り付けた割付ページを多面付けした前記文書データを作成する文書データ作成ステップと、外トンボ領域同士の重なりと、内トンボ領域同士の重なりを検知するトンボ領域重なり検知ステップと、前記検知された重なった外トンボ領域あるいは内トンボ領域を前記文書データから削除する重なりトンボ領域削除ステップと、前記検知されたトンボ領域が削除された文書データの外トンボ領域に外トンボを作成して、前記検知されたトンボ領域が削除された文書データの内トンボ領域に内トンボを作成するトンボ作成ステップと、を含んだ手順でなされることを特徴とする多面付トンボ割付方法である。
【０００７】
請求項２の発明は、前記内トンボ領域は、割付ページの外側に存在して、割付ページの１辺と、割付ページの仕上がり領域線の延長線上の線分で対向する２本の線分で囲まれた領域であって、前記２本の線分の長さが、内トンボの長さであって、前記外トンボ領域は、割付ページの仕上がり領域の頂点と、隣接する２個の内トンボ領域と接する線で囲まれた四辺形領域である、ことを特徴とする請求項１に記載の多面付トンボ割付方法である。
【発明の効果】
【０００８】
本願発明によれば、割付ページを多面付けするときに、トンボの設定情報算出作業や入力作業が不用なり、多面付け作業の能率を向上することができる。
【発明を実施するための最良の形態】
【０００９】
以下、図面等を参照しながら、本発明の実施の形態について、更に詳しく説明する。図１は、本発明による多面付バリアブル印刷システムの概要を説明する図である。本発明による多面付バリアブル印刷システム１は、多面付けしたバリアブル印刷物を製造する。本発明による多面付バリアブル印刷システム１は、文書編集装置１００と、印刷データ・サーバ装置３００と、バリアブル印刷装置５００とが、ネットワークで接続されて構成される。
【００１０】
文書編集装置１００は、割付ページ２００を編集して、これを多面付けして断裁位置目印（＝トンボ）を含む文書データを作成する。印刷データ・サーバ装置３００は、バリアブル印刷に用いる印刷データ（たとえば、バリアブル印刷する文字データや画像データ）を提供する。
【００１１】
バリアブル印刷装置５００は、文書編集装置１００が作成した文書データと、印刷データ・サーバ装置３００から得た印刷データとを用いて、バリアブル印刷をする。
【００１２】
文書編集装置１００は、コンピュータプログラムによって制御されるパーソナルコンピュータである。文書編集装置１００のコンピュータプログラムは、市販のＤＴＰソフトウエアである。文書編集装置１００のコンピュータプログラムに、機能を追加するときには、このコンピュータプログラムが備えるプラグイン機能とＣ＋＋プログラムを用いて、実現することができる。
【００１３】
印刷データ・サーバ装置３００は、コンピュータプログラムによって制御されるサーバコンピュータである。印刷データ・サーバ装置３００のコンピュータプログラムは、市販のデータベース・ソフトウエアである。バリアブル印刷装置５００は、コンピュータプログラムによって制御されるデジタル印刷装置である。
【００１４】
図２は、本発明による多面付バリアブル印刷システムの文書編集装置１００の詳細な構成図である。
文書編集装置１００は、外トンボ領域設定手段１１０と、内トンボ領域設定手段１１５と、多面付手段１２０と、外トンボ領域重なり検知手段１３０と、内トンボ領域重なり検知手段１３５と、重なりトンボ領域削除手段１４０と、外トンボ設定手段１５０と、内トンボ設定手段１５５と、文書データ作成手段１６０と、表示手段１８０と、入力手段１８５と、記憶手段１９０と、を備える。記憶手段１９０は、割付ページデータ１９１を記憶する。
【００１５】
割付ページデータ１９１は、印刷データの割付枠データを含むデータである。
【００１６】
外トンボ領域設定手段１１０は、割付ページに外トンボ領域を設定する。内トンボ領域設定手段１１５は、割付ページに内トンボ領域を設定する。
【００１７】
多面付手段１２０は、トンボ領域を設定された割付ページを多面付けする。外トンボ領域重なり検知手段１３０は、多面付けされた割付ページの外トンボ領域同士が重なっているか否かを検知する。内トンボ領域重なり検知手段１３５は、多面付けした割付ページの内トンボ領域同士が重なっているか否かを検知する。重なりトンボ領域削除手段１４０は、前記外トンボ領域重なり検知手段１３０により検知された重なった外トンボ領域や、前記内トンボ領域重なり検知手段１３５により検知された重なった内トンボ領域を、多面付けした割付ページから削除する。
【００１８】
外トンボ設定手段１５０は、前記重なっているトンボ領域が削除された多面付けされた割付ページの外トンボ領域に外トンボを設定する。内トンボ設定手段１５５は、前記重なっているトンボ領域が削除された多面付けされた割付ページの内トンボ領域に内トンボを設定する。文書データ作成手段１６０は、設定され外トンボと内トンボと、多面付けされた割付ページから、文書データを作成する。
【００１９】
表示手段１８０は、割付ページやトンボ領域やトンボなどを表示する。入力手段１８５は、各手段の情報を入力する。
【００２０】
外トンボ領域設定手段１１０と、内トンボ領域設定手段１１５と、多面付手段１２０と、外トンボ領域重なり検知手段１３０と、内トンボ領域重なり検知手段１３５と、重なりトンボ領域削除手段１４０と、外トンボ設定手段１５０と、内トンボ設定手段１５５と、文書データ作成手段１６０と、は、コンピュータプログラムである。割付ページデータ１９１は、コンピュータプログラムが可読なデータである。表示手段１８０は、液晶表示装置やＣＲＴ表示装置である。入力手段１８５は、キーボードやマウスである。記憶手段１９０は、半導体メモリや磁気メモリである。
【００２１】
図３は、トンボが設定された割付ページ２００を説明する図である。トンボは、外トンボ２０２と内トンボ２０４とから構成される。外トンボ２０２と内トンボ２０４とは、互いに対応する。
【００２２】
外トンボ２０２は、割付ページのページ境界線２０１を定義する線分である。外トンボ２０２は、前記ページ境界線２０１の延長方向にある線分で、割付ページ２００の外側に設定される。
【００２３】
内トンボ２０４は、割付ページを多面割付したバリアブル印刷物を断裁して仕上げる仕上げ線２０３を定義する線分である。内トンボ２０４は、これに対応する外トンボ２０２と平行で、割付ページ２００の外側に設定される。
【００２４】
図３には、トンボが設定された割付ページ２００が例示されている。割付ページ２００には、印刷データの割付枠として、可変文字割付枠２０５ａ「text」と可変画像割付枠２０５ｂ「image」とを割り付けられている。割付ページ２００四隅には、それぞれ２本の外トンボ２０２が設定されていて、これに対応する内トンボ２０４が設定されている。多色印刷の色見当の調整に用いるセンタートンボも、合わせて設定されている。
【００２５】
なお、外トンボ２０２は、割付ページ２００の境界線２０１に、互いに接していてもよいし、接していなくてもよい。また、近接する２本の外トンボ２０２は、互いに接してＬ字形状を構成してもよいし、接していなくてもよい。同様に、内トンボ２０４は、割付ページの境界線２０１に、接していてもよいし、接していなくても（＝近接していても）よい。
【００２６】
図４は、トンボ領域の割付を説明する図である。図４には、外トンボ領域２０２ａと内トンボ領域２０４ａとが例示されている。図４の外トンボ領域２０２ａと内トンボ領域２０４ａとは、図３の割付ページ２００の外トンボ２０２と内トンボ２０４とに対応している。
【００２７】
外トンボ領域２０２ａは、接する、あるいは、近接する２本の外トンボ２０２を含み、この外トンボに対応する内トンボ２０４を領域線とする四辺形の領域である。
【００２８】
内トンボ領域２０４ａは、割付ページの境界線２０１と、接する、あるいは、近接する２本の内トンボ２０４を含み、この２本の内トンボ２０４を領域線とする四辺形の領域である。
【００２９】
なお、外トンボ領域２０２ａと内トンボ領域２０４ａとは、内トンボ２０４を挟んで互いに接する。
【００３０】
図５は、多面付けにおけるトンボの設定の例である。図５には、８ページの割付ページ２００が多面付けされて、例示されている。各割付ページ２００には、内トンボ２０４が設定されていて、４隅の割付ページ２００には、外トンボ２０２も設定されている。
【００３１】
図６から図８までは、重なった外トンボ領域２０２ａを削除する処理手順の説明図である。割付ページ２００を８ページ多面付けしたときを例にして説明する。
【００３２】
図６は、外トンボ領域２０２ａの重なりを説明する図である。図６には、割付ページ２００が２ページの多面付けがなされると、２個が重なる外トンボ領域２０２ａが２組存在することが、例示されている。
【００３３】
図７は、多面付けされた割付ページの外トンボ領域２０２ａを説明する図である。
【００３４】
図７には、１段４ページの２段組みの多面付けが、例示されている。割付ページ２００が８ページ多面付けされて、３２個の外トンボ領域２０２ａが配置されている。ここで、各段の外トンボ領域２０２ａの重なりに注目すると、２個の外トンボ領域２０２ａが重なる箇所が３組存在する。
【００３５】
次に、上段の割付ページ２００と下段の割付ページ２００との外トンボ領域２０２ａの重なりに注目すると、２個の外トンボ領域２０２ａが重なる箇所が２組と、４個の外トンボ領域２０２ａが重なる箇所が３組、存在する。従って、２段組み１段４ページの多面付けでは、重複して計測した個数を除いて、２８個の外トンボ領域２０２ａが重なることが分かる。
【００３６】
図８は、外トンボ領域の多面付処理を説明する図である。図７の重なった外トンボ領域２０２ａを削除して外トンボ領域２０２ａを多面付処理する。２段組み８ページに多面付けされた割付ページ２００には、四隅の４個の外トンボ領域２０２ａが残される。
【００３７】
図９から図１１までは、重なった内トンボ領域２０４ａを削除する処理手順の説明図である。外トンボ領域２０２ａの説明と同様に、割付ページ２００を８ページ多面付けしたときを例にして説明する。
【００３８】
図９は、内トンボ領域２０４ａの重なりを説明する図である。図９には、割付ページ２００が２ページの多面付けがなされると、２個が重なる内トンボ領域２０４ａが１組存在することが、例示されている。
【００３９】
図１０は、多面付けされた割付ページの内トンボ領域２０４ａを説明する図である。
【００４０】
図１０には、１段４ページの２段組みの多面付けが、例示されている。割付ページ２００が８ページ多面付けされて、３２個の内トンボ領域２０４ａが配置されている。ここで、各段毎に内トンボ領域２０４ａの重なりに注目すると、２個の外トンボ領域２０２ａが重なる箇所が３組存在する。
【００４１】
次に、上段の割付ページ２００と下段の割付ページ２００との内トンボ領域２０４ａの重なりに注目すると、２個の内トンボ領域２０４ａが重なる箇所が４組存在する。従って、２段組み１段４ページの多面付けでは、１０個の内トンボ領域２０４ａが重なることが分かる。
【００４２】
図１１は、内トンボ領域の多面付処理を説明する図である。重なった内トンボ領域２０４ａを削除して、内トンボ領域の多面付処理をする。２段組み８ページに多面付けされた割付ページ２００には、外縁部に１０個の内トンボ領域２０４ａが残される。
【００４３】
図１２は、トンボ領域の多面付け処理を説明する図である。図１２には、多面付けされた割付ページ２００と多面付けされたトンボ領域が、例示されている。図８で説明した多面付けされた外トンボ領域（＝２段組み８ページに多面付けされた割付ページの四隅に残された４個の外トンボ領域２０２ａ）と、図１１で説明した多面付けされた内トンボ領域（＝外縁部に残された１０個の内トンボ領域２０４ａ）とを合成したトンボ領域である。
【００４４】
このトンボ領域に、それぞれのトンボを設定することで、図５で説明した、多面付けされた外トンボ２０２と内トンボ２０４とが設定される。
【００４５】
なお、図１３は、全トンボを多面付けした例を説明する図である。図７に図示した外トンボ領域２０２ａと、図１０に図示した内トンボ領域２０４ａとを、上で説明したような重なり領域を削除せずに、すべて設定した場合の例である。外トンボ２０２や内トンボ２０４が、他の割付ページ２００の領域に侵入して、トンボが印刷と重なるという問題を起している。
【００４６】
（実施例１）
次に文書データ変換装置を用いたバリアブル印刷システムの実施例を説明する。
【００４７】
図１４は、本発明によるバリアブル印刷システム２の全体構成を説明する図である。
【００４８】
本発明によるバリアブル印刷システムは、文書編集装置１００と、バリアブル印刷装置５００と、文書データ変換装置９００と、印刷データ・サーバ装置３００が、ネットワークで接続されて構成される。
【００４９】
印刷データ・サーバ装置３００の働きは、図１の印刷データ・サーバ装置３００の働きと同じである。
【００５０】
文書編集装置１００は、トンボを割り付けた文書データを作成して、文書データ変換装置９００に送信する。
【００５１】
文書データ変換装置９００は、文書編集装置１００から受信した文書データを、所定のトンボを割り付ける多面付けをして、使用するバリアブル印刷装置の印刷制御データに変換して、そのバリアブル印刷装置５００に送信する。
【００５２】
バリアブル印刷装置５００は、文書データ変換装置９００が作成した印刷制御データと、印刷データ・サーバ装置３００から得た印刷データとを用いて、バリアブル印刷をする。
【００５３】
文書データ変換装置９００は、コンピュータプログラムによって制御されるサーバコンピュータである。
文書編集装置１００と印刷データ・サーバ装置３００とバリアブル印刷装置５００との実現方法は、図１と同じである。
【００５４】
図１５は、本発明による多面付バリアブル印刷システムの文書編集装置１００の詳細な構成図である。文書編集装置１００は、外トンボ領域設定手段１１０と、内トンボ領域設定手段１１５と、多面付指示手段１２５と、外トンボ設定手段１５０と、内トンボ設定手段１５５と、文書データ作成手段１６０と、文書送信手段１７０と、表示手段１８０と、入力手段１８５と、記憶手段１９０と、を備える。記憶手段１９０は、割付ページデータ１９１を記憶する。
【００５５】
割付ページデータ１９１の構成は、図２の割付ページデータ１９１と同じである。
【００５６】
多面付指示手段１２５は、割付ページの多面付け条件情報を作成する。
【００５７】
文書データ作成手段１６０は、外トンボ領域と内トンボ領域とを含む割付ページと前記多面付け条件情報を含む文書データ１９３を作成する。文書送信手段１７０は、前記作成された文書データ１９３を文書データ変換装置９００に送信する。表示手段１８０は、割付ページやトンボ領域やトンボ領域に設定したトンボなどを表示する。
【００５８】
外トンボ領域設定手段１１０と内トンボ領域設定手段１１５と入力手段１８５の機能は、図２の外トンボ領域設定手段１１０と内トンボ領域設定手段１１５と入力手段１８５の機能と同じである。
【００５９】
外トンボ領域設定手段１１０と、内トンボ領域設定手段１１５と、多面付指示手段１２５と、文書データ作成手段１６０と、文書送信手段１７０とは、コンピュータプログラムである。割付ページデータ１９１は、コンピュータプログラムが可読なデータである。表示手段１８０は、液晶表示装置やＣＲＴ表示装置である。入力手段１８５は、キーボードやマウスである。記憶手段１９０は、半導体メモリや磁気メモリである。
【００６０】
図１６は、本発明による文書データ変換装置９００の詳細な構成図である。文書データ変換装置９００は、文書受信手段９１５と印刷装置指定手段９１０と、多面付手段９２０と、外トンボ領域重なり検知手段９３０と、内トンボ領域重なり検知手段９３５と、重なりトンボ領域削除手段９４０と、外トンボ設定手段９５０と内トンボ設定手段９５５と、制御コード変換手段９６０と、制御データ送信手段９７０と、記憶手段９９０とを備える。記憶手段９９０は、制御コード対応表９９７を記憶する。
【００６１】
制御コード対応表９９７は、印刷装置指定情報を含み、文書データ１９３の所定のデータ（たとえば、編集タグ）と印刷装置のプリンタ制御コードを対応付けたデータである。
【００６２】
文書受信手段９１５は、文書編集装置１００から文書データ１９３を受信する。
【００６３】
多面付手段９２０は、文書データ１９３のトンボ領域を設定された割付ページを、多面付け条件情報に従って、多面付けする。
【００６４】
外トンボ領域重なり検知手段９３０と内トンボ領域重なり検知手段９３５と重なりトンボ領域削除手段９４０と外トンボ設定手段９５０と内トンボ設定手段９５５の機能は、図２のそれぞれに対応する外トンボ領域重なり検知手段１３０と内トンボ領域重なり検知手段１３５と重なりトンボ領域削除手段１４０と外トンボ設定手段１５０と内トンボ設定手段１５５の機能と同じである。
【００６５】
印刷装置指定手段９１０は、バリアブル印刷装置指定情報の入力を受け付ける。制御コード変換手段９６０は、前記受け付けられた印刷装置指定情報の制御コード対応表９９７を選択して、これを用いて、前記多面付けされた割付ページを含む文書データ１９３の所定のデータを、プリンタ制御コードに変換して印刷制御データ９９８を作成する。制御データ送信手段９７０は、前記作成された印刷制御データ９９８をバリアブル印刷装置５００に送信する。
【００６６】
文書受信手段９１５と印刷装置指定手段９１０と制御コード変換手段９６０と制御データ送信手段９７０と多面付手段９２０と、外トンボ領域重なり検知手段９３０と、内トンボ領域重なり検知手段９３５と、重なりトンボ領域削除手段９４０と外トンボ設定手段９５０と内トンボ設定手段９５５は、コンピュータプログラムである。記憶手段９９０は、半導体メモリや、磁気メモリである。制御コード対応表９９７は、コンピュータプログラムが可読なデータである。
【００６７】
以上詳しく説明したように、本願発明によれば、割付ページを多面付けするときに、トンボの設定情報算出作業や入力作業が不要なり、多面付け作業の能率を向上することができた。
【図面の簡単な説明】
【００６８】
【図１】本発明による多面付バリアブル印刷システムの全体構成
【図２】本発明による多面付バリアブル印刷システムの文書編集装置の詳細な構成図
【図３】トンボが設定された割付ページ２００
【図４】トンボ領域の割付
【図５】多面付けにおけるトンボの設定
【図６】外トンボ領域２０２ａの重なり
【図７】多面付けされた割付ページの外トンボ領域２０２ａ
【図８】外トンボ領域の多面付処理
【図９】内トンボ領域２０４ａの重なり
【図１０】多面付けされた割付ページの内トンボ領域２０４ａ
【図１１】内トンボ領域の多面付処理
【図１２】トンボ領域の多面付け処理
【図１３】(参考）全トンボを多面付けした例
【図１４】本発明によるバリアブル印刷システム２の全体構成を説明する図
【図１５】本発明による文書編集装置１００の詳細な構成図
【図１６】本発明による文書データ変換装置９００の詳細な構成図
【符号の説明】
【００６９】
１  本発明による多面付バリアブル印刷システム
１００  文書編集装置
１１０  外トンボ領域設定手段
１１５  内トンボ領域設定手段
１２０  多面付手段
１２５  多面付指示手段
１３０  外トンボ領域重なり検知手段
１３５  内トンボ領域重なり検知手段
１４０  重なりトンボ領域削除手段
１５０  外トンボ設定手段
１５５  内トンボ設定手段
１６０  文書データ作成手段
１８０  表示手段
１８５  入力手段
１９０  記憶手段
１９１  割付ページデータ
２００  割付ページ
２０１  ページ境界線
２０２  外トンボ
２０２ａ外トンボ領域
２０３  仕上げ線
２０４  内トンボ
２０４ａ  内トンボ領域
２０５ａ  可変文字割付枠
２０５ｂ  可変画像割付枠
３００  印刷データ・サーバ装置
５００  バリアブル印刷装置
９００  文書データ変換装置
９１０  印刷装置指定手段
９１５  文書受信手段
９２０  多面付手段
９３０  外トンボ領域重なり検知手段
９３５  内トンボ領域重なり検知手段
９４０  重なりトンボ領域削除手段
９５０  外トンボ設定手段
９５５  内トンボ設定手段
９６０  制御コード変換手段
９７０  制御データ送信手段
９９０  記憶手段
９９７  制御コード対応表
９９８  印刷制御データ
【図１】
2008146160.tif 000003
【図２】
2008146160.tif 000004
【図３】
2008146160.tif 000005
【図４】
2008146160.tif 000006
【図５】
2008146160.tif 000007
【図６】
2008146160.tif 000008
【図７】
2008146160.tif 000009
【図８】
2008146160.tif 000010
【図９】
2008146160.tif 000011
【図１０】
2008146160.tif 000012
【図１１】
2008146160.tif 000013
【図１２】
2008146160.tif 000014
【図１３】
2008146160.tif 000015
【図１４】
2008146160.tif 000016
【図１５】
2008146160.tif 000017
【図１６】
2008146160.tif 000018